(57)【要約】      （修正有）【課題】支持フレームに関し、特に所望の形状構造に任意に折り畳んで、携帯電話、名刺又は他の担持対象を配置可能な連続折り畳み支持構造を提供する。【解決手段】外枠構造１、複数の内枠構造２、中心構造３及び複数の当接部品を含み、該外枠構造１は外枠クロスバー１１及び二つの外枠接続ロッド１２を含み、二つの外枠接続ロッドの長さが同じであり、かつ二つの外枠接続ロッドの間は互いに平行に設置され、二つの外枠接続ロッドの一端はそれぞれ該外枠クロスバーの両端に接続され、同時に、該外枠クロスバーは二つの外枠接続ロッドに垂直である。複数の内枠構造は外枠構造の内側に設置され、かつ内枠構造は層のスリーブ接続方式で、最も外層の内枠構造から内側へ層ずつ設置され、各内枠構造はいずれも内枠クロスバー２１及び二つの内枠接続ロッド２２を含み、内枠クロスバーはいずれも他の内枠クロスバー及び外枠クロスバーに平行に設置され、かつ各内枠クロスバー２１はいずれも内枠接続ロッドに垂直に設置される。【選択図】図２
0003234848.tif 000002
【実用新案登録請求の範囲】
【請求項１】
外枠構造及び複数の内枠構造を含み、該外枠構造がこれらの内枠の最も外側に設けられ、これらの内枠構造が徐々に縮小しかつ該外枠構造の内側に設けられ、該外枠構造及びこれらの内枠構造がいずれも一つのクロスバー及び二つの接続ロッドを含み、該外枠構造及び各該内枠構造のクロスバーの両端がそれぞれ該外枠構造及び各該内枠構造のこれらの接続ロッドの一端に接続され、かつ該外枠構造及びこれらの内枠構造のクロスバーとこれらの接続ロッドが垂直に設けられ、該外枠構造及び各該内枠構造のこれらの接続ロッドの間が互いに平行に設けられる支持フレームと、
これらの内枠構造の該接続ロッドとこれらの内枠構造のクロスバーに接続された一端の外側縁に設けられ、かつ該外枠構造及び前記内枠構造の前記接続ロッドに対向して接続された他端の内側縁に設置される複数の当接部材と、を含み、
ここで、該外枠構造はこれらの内枠構造の最も外側に設置される場合、該外枠構造のこれらの接続ロッドの内側縁に設置されたこれらの当接部品と該外枠構造の最も外層の内枠構造のこれらの接続ロッドの外側縁の当接部品は互いに当接し、かつこれらの内枠構造はいずれも各該内枠構造のこれらの接続ロッドの内側縁に設置されたこれらの当接部品と次の層に設置された内枠構造のこれらの接続ロッドの外側縁の当接部品とで当接を形成する、連続折り畳み支持構造。
【請求項２】
これらの当接部品が複数の枢着孔及び複数の回転軸である、請求項１に記載の連続折り畳み支持構造。
【請求項３】
これらの回転軸の周縁には突起した複数の係止点が環状に設置され、かつこれらの枢着孔の周縁にはこれらの係止点と互いに係止する係止溝が環状に設置される、請求項１に記載の連続折り畳み支持構造。
【請求項４】
これらの枢着孔の周縁には突起した複数の係止点が環状に設置され、かつこれらの回転軸の周縁にはこれらの係止点と互いに係止する係止溝が環状に設置される、請求項２に記載の連続折り畳み支持構造。
【請求項５】
これらの枢着孔はこれらの内枠構造のこれらの接続ロッドがこれらのクロスバーに接続された一端の外側縁に設けられ、これらの回転軸はこれらの外枠構造及びこれらの内枠構造のこれらの接続ロッドがこれらのクロスバーに接続された他端の内側縁に設けられる、請求項２に記載の連続折り畳み支持構造。
【請求項６】
これらの回転軸はこれらの内枠構造のこれらの接続ロッドがこれらのクロスバーに接続された一端の外側縁に設けられ、これらの枢着孔はこれらの外枠構造及びこれらの内枠構造のこれらの接続ロッドがこれらのクロスバーに接続された他端の内側縁に設けられる、請求項２に記載の連続折り畳み支持構造。
【請求項７】
これらの枢着孔は魚眼孔であり、かつこれらの回転軸の自由端には、回転軸がこれらの枢着孔を挿入した後、これらの回転軸が該魚眼孔の孔径の大きい位置に位置する位置決め部が設置される、請求項２に記載の連続折り畳み支持構造。
【請求項８】
これらの位置決め部はこれらの回転軸の直径より広い球体には、又はこれらの回転軸の端部の方向に向かってスライドアークガイド設計を有する凸部構造であり、かつ該位置決め部のこれらの回転軸の端部の方向に向かって少なくとも一つの弾性溝が開設され、これらの位置決め部がこれらの枢着孔内の孔径が小さい位置を通過する時、これらの位置決めが孔壁に圧縮される時、該弾性溝により位置決め部の外径を圧縮することにより、これらの位置決め部がこれらの枢着孔内の孔径が小さい位置を通過することに用いられる、請求項７に記載の連続折り畳み支持構造。
【請求項９】
中心構造をさらに含み、該中心構造は矩形シート体又は円柱体であり、該中心構造の一端の両側にはこれらの当接部品が設置され、かつ該中心構造はこれらの当接部品によりこれらの内枠構造の最も内側の内枠構造のこれらの接続ロッドの内側縁に設置されたこれらの当接部品と当接する、請求項１に記載の連続折り畳み支持構造。
【考案の詳細な説明】
【技術分野】
【０００１】
本考案は支持フレームに関し、特に所望の形状構造に任意に折り畳んで、携帯電話、名刺又は他の担持対象を配置可能な連続折り畳み支持構造を指す。
【背景技術】
【０００２】
一般的に家庭生活又はオフィスにおいて収納用品を購入するのに、物品を収納した後に依然としてかなり乱雑に見えるという状況がよく現れ、その主な原因は一般的には人が収納用品を購入する時に、収納フレーム又は収納キャビネット等の物品自体が空間を占めることを考慮しないため、購入する時に収納用品のサイズだけを考慮することがよく、収納後に依然として空間乱雑の現象が現れることである。
【０００３】
したがって、使用者のニーズに応じて外観を任意に変換することができ、また使用者が使用しない時に収納しやすい収納用具をどのように選択するかは、当業者が考慮する必要がある課題である。したがって、本願の作成者は早急に考えて改良し革新し、かつ長年を経て工夫して研究した結果、最終的に本考案の連続折り畳み支持構造を成功裏に開発して完了する。
【考案の概要】
【考案が解決しようとする課題】
【０００４】
本考案の目的はニーズに応じて使用者が物品を配置するように任意に折り畳むことができる連続折り畳み支持構造を提供することである。
【０００５】
本考案の目的は自体が収納しやすく、空間を占めない連続折り畳み支持構造を提供することである。
【課題を解決するための手段】
【０００６】
上記目的を達成するために、本考案の提供する連続折り畳み支持構造は主に支持フレーム及び複数の当接部品を含み、該支持フレームは外枠構造、複数の内枠構造及び中心構造を含み、ここで該外枠構造及びこれらの内枠構造はいずれもクロスバー及び二つの接続ロッドを含み、各クロスバーの両端はいずれもそれぞれ接続ロッドの一端に接続され、かつ各クロスバーはいずれもこれらの接続ロッドに垂直であり、各接続ロッドの間はいずれも平行に設置される。
【０００７】
ここで、該外枠構造はこれらの内枠の最も外側に設けられ、これらの内枠構造は徐々に縮小し、かつ該外枠構造の内側に設けられ、該中心構造はこれらの内枠構造の最も内側の内枠構造の接続ロッドの内側及びクロスバーで形成された空間内に設けられる。
【０００８】
ここで、これらの当接部品は各該内枠構造の該接続ロッドと各該内枠構造のクロスバーが接続される一端の外側縁に設けられ、かつ該外枠構造及びこれらの内枠構造のこれらの接続ロッドに対応してこれらのクロスバーに接続される他端の内側縁に設けられる。
【０００９】
ここで、上記当接部品は複数の枢着孔及び複数の回転軸であり、かつこれらの回転軸又はこれらの枢着孔の周縁には突起した複数の係止点及びこれらの係止点と互いに係止する係止溝が環状に設置される。
【００１０】
ここで、上記枢着孔は魚眼孔であり、上記回転軸の自由端には位置決め部が設けられ、かつ該位置決め部には少なくとも一つの弾性溝が開設される。
【考案の効果】
【００１１】
本考案の提供する連続折り畳み支持構造は主に外枠構造、複数の内枠構造及び中心構造により複数の回転軸が枢着孔に枢着された位置を回転軸心として、任意に回転して互いの角度を調整することにより、携帯電話を配置することができる携帯電話フレーム、名刺を配置する名刺フレーム、ペン及び文具を収納するペン筒又は鍵を吊り下げるハンガー等の物品を収納する収納フレームを構成する。
【図面の簡単な説明】
【００１２】
【図１】図１は本考案の連続折り畳み支持構造の三次元折り畳み図である。
【図２】図２は本考案の連続折り畳み支持構造の三次元展開図である。
【図３】図３は本考案の連続折り畳み支持構造の三次元分解図である。
【図４】図４は本考案の連続折り畳み支持構造の使用状態概略図である。
【図５】図５は本考案の連続折り畳み支持構造の別の使用状態概略図である。
【図６】図６は本考案の連続折り畳み支持構造の係止点及び係止溝が当接される概略図である。
【図７】図７は本考案の連続折り畳み支持構造における当接部品の別の実施例の三次元概略図である。
【考案を実施するための形態】
【実施例】
【００１３】
図１〜３に示すとおり、本考案の提供する連続折り畳み支持構造は外枠構造１、複数の内枠構造２、中心構造３及び複数の当接部品を含み、該外枠構造１は外枠クロスバー１１及び二つの外枠接続ロッド１２を含み、二つの外枠接続ロッド１２の長さが同じであり、かつ二つの外枠接続ロッド１２の間は互いに平行に設置され、二つの外枠接続ロッド１２の一端はそれぞれ該外枠クロスバー１１の両端に接続され、同時に、該外枠クロスバー１１は二つの外枠接続ロッド１２に垂直である。
【００１４】
複数の内枠構造２は外枠構造１の内側に設置され、かつ複数の内枠構造２は層のスリーブ接続方式で、最も外層の内枠構造２から内側へ層ずつ設置され、各内枠構造２はいずれも内枠クロスバー２１及び二つの内枠接続ロッド２２を含み、各内枠構造２の内枠クロスバー２１はいずれも他の内枠構造２の内枠クロスバー２１及び外枠クロスバー１１に平行に設置され、かつ各内枠構造２の内枠クロスバー２１はいずれも該内枠構造２の内枠接続ロッド２２に垂直に設置され、同時に各内枠構造２の内枠クロスバー２１の両端はそれぞれ該内枠構造２の二つの内枠接続ロッド２２の一端に接続される。
【００１５】
中心構造３は複数の内枠構造２に設置され、最も内層の内枠構造２の内枠クロスバー２１と二つの内枠接続ロッド２２に囲まれて形成された空間内に設置され、複数の当接部品は外枠構造２１の二つの外枠接続ロッド１２の外枠クロスバー１１に対向して接続された一端に設置され、かつ二つの外枠接続ロッド１２の対向する面の表面に位置し、かつ中心構造３は最も内側の内枠構造２に向き、内枠クロスバー２１と二つの内枠接続ロッド２２に囲まれて形成された空間の開口の一端の外側の二つの外側面に設置され、かつ各内枠構造の二つの内枠接続ロッド２２の両端に設置され、ここで、複数の当接部品は各内枠構造２の二つの内枠接続ロッド２２の内枠クロスバー２１に接続された一端の内枠クロスバー２１に対向する方向の外側面に設置され、二つの内枠接続ロッド２２に対向して内枠クロスバー２１の他端に接続され、かつ二つの外枠接続ロッド１２に対向する面の表面に位置する。
【００１６】
複数の当接部品は複数の枢着孔４１及び複数の回転軸４２を含み、これらの枢着孔４１は各内枠構造２の二つの内枠接続ロッド２２の内枠クロスバー２１に接続された一端の内枠クロスバー２１に対向する方向の外側面に設けられ、かつ中心構造３の最も内側内枠構造２において、内枠クロスバー２１と二つの内枠接続ロッド２２で囲まれて形成された空間の開口の一端の外側の二つの外側面に設けられ、複数の回転軸４２は外枠構造１の二つの外枠接続ロッド１２の外枠クロスバー１１に対向して接続された一端に設けられ、かつ二つの外枠接続ロッド１２に対向する面の表面、及び各内枠構造２の二つの内枠接続ロッド２２の内枠クロスバー２１に対向して接続された他端に設けられ、かつ二つの外枠接続ロッド１２が対向する面の表面に位置する。
【００１７】
ここで、内枠構造１の二つの回転軸４２は複数の内枠構造２のうちの最も外側の内枠構造２の二つの枢着孔４１に穿設され、かつ複数の内枠構造２の二つの回転軸４２はそれぞれの内部の次の層の内枠構造２の二つの枢着孔４１に穿設され、複数の内枠構造２のうちの最も内側の内枠構造２の二つの回転軸４２は中心構造３の二つの枢着孔４１に穿設される。
【００１８】
図４〜５に示すとおり、本考案の提供する連続折り畳み支持構造は主に外枠構造１、複数の内枠構造２及び中心構造３により複数の回転軸４２が枢着孔４１に枢着された位置を回転軸心として、任意に回転して互いの角度を調整することにより、携帯電話を配置することができる携帯電話フレーム、名刺を配置する名刺フレーム、ペン及び文具を収納するペン筒又は鍵を吊り下げるハンガー等の物品を収納する収納フレームを構成し、かつ本考案の提供する連続折り畳み支持構造が折り畳まれた時（図１に示すとおり）、一枚の形状体を形成し、それにより自体を収納する時に占める空間を減少させることができる。また、図６に示すとおり、配置対象の物品の重量が重すぎるため、配置する時、本考案の提供する連続折り畳み支持構造を回転して折り畳んで支持構造が力を受けて変形するか又は潰れることを防止するために、本考案は回転軸４２又は枢着孔４１の周縁には突起した複数の係止点５及び係止点５と互いに係止する係止溝６を環状に設置することにより、外枠構造１、複数の内枠構造２及び中心構造３は回転軸４２と枢着孔４１との枢着位置を軸心として回転する時、それぞれの外枠接続ロッド１２、内枠接続ロッド２２及び中心構造３の側縁がこれらの係止点５とこれらの係止溝６と互いに係止する構造でステージで回転することができ、同時に本考案の提供する連続折り畳み支持構造を回転して折り畳んで物品を配置するか又は折り下げる支持フレームを形成する時、これらの係止点５とこれらの係止溝６が互いに係止する構造を支持点とし、回転して折り畳んで形成された、物品を放置するか又は吊り下げる支持フレームが力を受けて変形するか又は潰れることを防止する。
【００１９】
図７に示すとおり、本考案の提供する連続折り畳み支持構造において、複数の当接部品の枢着孔４１は魚眼孔４１１であってもよく、複数の回転軸４２の自由端は位置決め部４２１を有し、これらの位置決め部４２１はこれらの回転軸４２の直径より広い球体には、又はこれらの回転軸４２の端部方向に向かってスライドアーク設計を有する凸部構造であり、かつ位置決め部４２１はこれらの回転軸４２の端部方向に向かって少なくとも一つの弾性溝４２２が開設され。したがって、複数の回転軸４２はそれぞれ複数の枢着孔４１内に挿入する時、位置決め部４２１は弾性溝４２２の設置により、位置決め部４２１が魚眼孔４１１内の孔径が小さい位置を通過する時、孔径壁面により圧縮されて位置決め部４２１の外径を減少させ、かつ位置決め部４２１が魚眼孔４１１内の孔径が小さい孔を通過して魚眼孔４１１内の孔径が大きい位置に入った後、弾性により元の外径の大きさに復帰し、それにより位置決め部４２１が魚眼孔４１１の孔径が大きい位置内に配置され、かつ回転軸４２が枢着孔４１から退出しにくい。それにより、内枠構造２、複数の内枠構造及び中心構造３が複数の回転軸４２と枢着孔４１とが枢着された位置を回転軸心として、任意に回転して互いの角度を調整する時、回転軸４２が枢着孔４１から離脱して本考案の提供する連続折り畳み支持構造が潰れるという状況を回避する。
【００２０】
また、本考案の提供する連続折り畳み支持構造において、複数の当接部品の設置は完全に逆であってもよく、すなわち、これらの回転軸４２は各内枠構造２の二つの内枠接続ロッド２２の内枠クロスバー２１に接続された一端の内枠クロスバー２１に対向する方向の外側面に設置され、及び中心構造３の最も内側に向かう内枠構造において、内枠クロスバー２１と二つの内枠接続ロッド２２で囲まれて形成された空間の開口の一端の外側の二つの外側面に設置され、複数の枢着孔４１は外枠構造１の二つの外枠接続ロッド１２の外枠クロスバー１１に対向して接続された一端に設置され、かつ二つの外枠接続ロッド１２が対向する面の表面に位置し、かつ各内枠構造の二つの内枠接続ロッド２２の内枠クロスバー２１に対向して接続された他端に設置され、かつ二つの外枠接続ロッド１２が対向する面の表面に位置する。したがって、複数の当接部品を当接する時、中心構造３の二つの回転軸４２を利用して複数の内枠構造の最も内側の内枠構造２の二つの枢着孔４１に穿設し、複数の内枠構造２の二つの回転軸４２をそれぞれ外側の上の一層の内枠構造２の二つの枢着孔４１に穿設し、かつ複数の内枠構造２の最も外側の内枠構造の二つの回転軸４２を外枠構造１の二つの枢着孔４１に穿設する。したがって、本考案の提供する連続折り畳み支持構造において、当接部品は固定された部品に設置されることに限定せず、当接部品の設置はそれが外枠構造１、複数の内枠構造２及び中心構造３の回転軸心であることを保証すればよく、同様に、当接部品は枢着孔４１及び回転軸４２の当接に限定されず、軸心として回転可能な構造であれば本考案の当接部品であってもよい。
【００２１】
上記説明は本考案の一部の実施例のみを示すが、本考案の特許範囲を限定するものではなく、当業者にとって、本考案の構想から逸脱しない前提で、さらにいくつかの変形及び改良を行うことができ、いずれも本考案の保護範囲内にある。
【符号の説明】
【００２２】
１        外枠構造
１１        外枠クロスバー
１２        外枠接続ロッド
２        内枠構造
２１        内枠クロスバー
２２        内枠接続ロッド
３        中心構造
４１        枢着孔
４１１        魚眼孔
４２        回転軸
４２１        位置決め部
４２２        弾性溝
５        係止点
６        係止溝
【図１】
0003234848.tif 000003
【図２】
0003234848.tif 000004
【図３】
0003234848.tif 000005
【図４】
0003234848.tif 000006
【図５】
0003234848.tif 000007
【図６】
0003234848.tif 000008
【図７】
0003234848.tif 000009